(57)【特許請求の範囲】
【請求項１】
変圧器と、該変圧器の上面に設置され、遮断器，断路器，ブッシング、前記変圧器と遮断器を接続する第１の接続母線及び前記遮断器とブッシングを断路器を介して接続する第２の接続母線から成るガス絶縁開閉装置とを備え、
前記遮断器は、その軸線が水平に配置された横型であり、前記第１の接続母線及び第２の接続母線は、共に前記遮断器の軸線に平行で、かつ前記遮断器を挟んで上下に重なって配置されていると共に、前記第１の接続母線の一端は下方に伸びて前記変圧器の上面側に設けられた引き出し口に接続され、他端は上方に伸び前記横型遮断器の一端に接続され、かつ前記第２の接続母線の一端は前記断路器を介して前記横型遮断器の他端に接続され、他端は前記ブッシングに接続され、更に前記第１の接続母線は、該第１の接続母線の軸線に対して垂直に配置された絶縁スペーサを有することを特徴とする変圧器一体形ガス絶縁開閉装置。
【請求項２】
請求項１に記載の変圧器一体形ガス絶縁開閉装置において、
前記第１の接続母線と前記変圧器の引き出し口が、油‐ガスブッシング若しくは油−ガススペーサを介して接続されていることを特徴とする変圧器一体形ガス絶縁開閉装置。
【発明の詳細な説明】
【０００１】
【発明の属する技術分野】
本発明は変圧器一体形ガス絶縁開閉装置に係り、特に、変圧器とガス絶縁開閉装置を接続母線により直接接続した変電設備用に好適な変圧器一体形ガス絶縁開閉装置に関する。
【０００２】
【従来の技術】
従来の変電設備用のガス絶縁開閉装置と変圧器は、電気協同研究第３９巻第６号第５９頁「ガス絶縁開閉装置の標準化」のＩ−７図等に示すように、ガス絶縁開閉装置と変圧器をそれぞれ別の独立した基礎に設置し、ガス絶縁開閉装置と変圧器を水平に配置していた。
【０００３】
【発明が解決しようとする課題】
上述したように、ガス絶縁開閉装置と変圧器を独立した別の基礎に設置するとそれぞれに据え付けスペースが必要になり、敷地面積が大きくなると言う問題があった。このため、都市近郊部や山間部等に設置する場合、土地の確保と造成に苦慮していた。
【０００４】
本発明の目的は、敷地面積を小さくすることのできる変圧器一体形ガス絶縁開閉装置を提供することにある。
【０００５】
【課題を解決するための手段】
本発明の変圧器一体形ガス絶縁開閉装置は、上記目的を達成するために、変圧器と、該変圧器の上面に設置され、遮断器，断路器，ブッシング、前記変圧器と遮断器を接続する第１の接続母線及び前記遮断器とブッシングを断路器を介して接続する第２の接続母線から成るガス絶縁開閉装置とを備え、前記遮断器は、その軸線が水平に配置された横型であり、前記第１の接続母線及び第２の接続母線は、共に前記遮断器の軸線に平行で、かつ前記遮断器を挟んで上下に重なって配置されていると共に、前記第１の接続母線の一端は下方に伸びて前記変圧器の上面側に設けられた引き出し口に接続され、他端は上方に伸び前記横型遮断器の一端に接続され、かつ前記第２の接続母線の一端は前記断路器を介して前記横型遮断器の他端に接続され、他端は前記ブッシングに接続され、更に前記第１の接続母線は、該第１の接続母線の軸線に対して垂直に配置された絶縁スペーサを有することを特徴とする。
【０００６】
【発明の実施の形態】
以下、本発明の一実施例を図１から図５によって説明する。図１は、本実施例を示す変圧器一体形ガス絶縁開閉装置の正面図、図２は、図１の矢視Ａ−Ａから見た側面図、図３は、図２の内部構造を示す縦断面図、図４は、本実施例の変形例を示す側面図、図５は、本実施例の変形例である変圧器一体形ガス絶縁開閉装置の内部構造を示す縦断面図である。
【０００７】
本実施例の変圧器一体形ガス絶縁開閉装置は、下方側に設けられた変圧器１の上部にガス絶縁開閉装置２を設置している。変圧器１の上部には三相ほぼ平行に主回路引き出し口１０，１１，１２とガス絶縁開閉装置２を固定するための固定座１３を設けている。引き出し口１０，１１，１２には油−ガスブッシング９を取り付け、油−ガスブッシング９の上部には横方向に分岐した接続母線８を接続している。接続母線８は遮断器６の下部に接続された横方向に分岐した接続母線７に絶縁スペーサ２１を介して接続している。遮断器６は変圧器１の上面とほぼ平行となるように水平方向に配置され、遮断器６上部は接地開閉器５，断路器４を介して遮断器６とほぼ平行に配置された接続母線２０が絶縁スペーサ２２を介して接続されている。接続母線２０の上方には変流器１９を介してガスブッシング３が接続されており、ガスブッシング３は送電線１４に接続され、外部からの電力はガス絶縁開閉装置２を介して変圧器１に供給される。このように、ガス絶縁開閉装置２は、ガスブッシング３，断路器４，接地開閉器５，遮断器６，接続母線７，８より構成されている。このガス絶縁開閉装置２は、架台１５により変圧器１の固定座１３に固定されている。
【０００８】
本実施例では、このように変圧器１の上部空きスペースにガス絶縁開閉装置２を設置しているので、ガス絶縁開閉装置２用の基礎及び据付用敷地が不要になり、変電所の敷地面積を縮小できる。また、遮断器６の上部に水平方向に接続母線２０を接続しているので、ブッシング３の引き出し方向を任意に変更できる。図４に示す例では、変圧器１の側面側に架台１５を設け、接続母線２０を図１に示す方向とは反対方向に設け、ブッシング３を図１に示す方向とは反対方向に設けている。
【０００９】
図５は、本実施例の変形例である変圧器一体形ガス絶縁開閉装置の内部構造を示す縦断面図である。この例では、変圧器１とガス絶縁開閉装置２の間を油−ガススペーサ１６により接続している。油−ガススペーサ１６は、油−ガスブッシング９に比べ非常に軽量であるので、耐震性能が向上する。
【００１０】
本実施例による変圧器一体形ガス絶縁開閉装置は変圧器の据え付けスペースに変圧器とガス絶縁開閉装置の両方を設置でき、敷地面積の縮小化及び造成作業の軽減等で従来より大幅なコストダウンを図ることができる。
【００１１】
図６は、本実施例の他の変形例である変圧器一体形ガス絶縁開閉装置の内部構造を示す縦断面図である。この例では、油−ガススペーサ１６を接続母線７，８間に取り付けたものである。このように、図５，図６に示す油−ガススペーサ１６の取付位置は、遮断器６の真下に水平配置してないため、遮断器６動作時分解生成物等の異物が発生しても、油−ガススペーサの表面に有害な状態に積もることがない。
【００１２】
図７は、ガス絶縁開閉装置２の主回路を一つの容器に収納した、いわゆる三相一括形ガス絶縁開閉装置を適用した場合の変圧器一体形ガス絶縁開閉装置の正面図である。本実施例では、引き出し口１０を三相一括形とし、変圧器１の側方に集中して設けている。引き出し口１０は、油ーガススペーサ１６を介して三相一括形の接続母線８に接続され、その側方に設置された三相一括形の遮断器６に接続されている。遮断器６の上方には、断路器４，接地開閉器５が設置されている。この断路器４，接地開閉器５は接続母線により、三相それぞれに分けられて変流器１９を介して三相のブッシング３に接続され、さらに送電線１４に接続されている。これらのブッシング３は、変圧器１の固定座１３に取り付けられた架台１５により支持されている。
【００１３】
このように、接続母線８，遮断器６等を三相一括形とすることにより、変圧器１の上に設置するガス絶縁開閉装置２の構成を簡略化でき、又、変圧器１の中央側に重量部分を設置することができるので、耐振性がよい。
【００１４】
図８は、ブッシング３をケーブル引き出しにした場合の変圧器一体形ガス絶縁開閉装置の側面図である。この例では、ブッシング３は別置きにし、ケーブル引き出しによりブッシング３に接続している。このように構成することにより、ガス絶縁開閉装置の重量を低減することができる。
【００１６】
以上説明したように、各実施例のように構成することにより、変圧器１の上部空きスペースにガス絶縁開閉装置２を設置することができ、ガス絶縁開閉装置２用の基礎及び据付用敷地が不要になる。このため、山岳部等に設置する場合の敷地の確保と造成作業が容易になるばかりでなく、従来、屋内設置の場合、ガス絶縁開閉装置と変圧器をそれぞれ別の階に設置していたものを、変圧器１階分に両方を設置することが可能である。
【００１７】
【発明の効果】
以上説明したように本発明によれば、変圧器とガス絶縁開閉装置を接続する構成の変電設備の場合、変圧器の上部スペースにガス絶縁開閉装置の設置を可能な構造の変圧器一体形ガス絶縁開閉装置にしたので、変圧器の据え付けスペースに変圧器とガス絶縁開閉装置の両方を設置可能にでき、変電所の敷地を大幅に縮小できる。
【図面の簡単な説明】
【図１】本発明の一実施例である変圧器一体形ガス絶縁開閉装置の正面図である。
【図２】図１の矢視Ａ−Ａから見た側面図である。
【図３】図２の内部構造を示す縦断面図である。
【図４】本実施例の変形例を示す側面図である。
【図５】本実施例の変形例である変圧器一体形ガス絶縁開閉装置の内部構造を示す縦断面図である。
【図６】本実施例の他の変形例である変圧器一体形ガス絶縁開閉装置の内部構造を示す縦断面図である。
【図７】本発明の他の実施例を示す正面図である。
【図８】本発明の他の実施例を示す側面図である。
【符号の説明】
１…変圧器、２…ガス絶縁開閉装置、３…ガスブッシング、４…断路器、５…接地開閉器、６…遮断器、７，８…接続母線、９…油−ガスブッシング、１０，１１，１２…引き出し口、１３…固定座、１４…送電線、１５…架台、１６…油−ガススペーサ、１７…ケーブルヘッド、１８…電力ケーブル、１９…変流器、２０…接続母線、２１，２２…絶縁スペーサ。
【図１】
0004146540.tif 000002
【図２】
0004146540.tif 000003
【図３】
0004146540.tif 000004
【図４】
0004146540.tif 000005
【図５】
0004146540.tif 000006
【図６】
0004146540.tif 000007
【図７】
0004146540.tif 000008
【図８】
0004146540.tif 000009